(57)【要約】【課題】  簡単な操作で希望する放送局チャンネルを選択受信できるようにする。【解決手段】  それぞれのキーに予め設定してある選局用のキーコードを、それぞれのキー操作で直接発生させるダイレクトキー１１〜２２の操作と、選局を順番に変更させるサイクリックキー５の操作とが可能な場合において、ダイレクトキー操作用に用意されたキーコードの中から選択されたキーコードを、その順序のデータとともに記憶し、サイクリックキー操作がある場合に、記憶されたキーコードを、記憶された順序で発生させる。【選択図】    図１
2006254242.tif 000002
【特許請求の範囲】
【請求項１】
それぞれのキーに予め設定してある選局用のキーコードを、それぞれのキー操作で発生する複数のダイレクトキーと、
前記ダイレクトキーに設定されたキーコードの中から選択されたキーコードを、その順序のデータとともに記憶する記憶部と、
前記記憶部に記憶された順序で、操作があるごとに記憶されたキーコードを順番に発生するサイクリックキーと、
前記ダイレクトキー及び前記サイクリックキーの操作で発生された前記キーコードを送信する送信部とを備えることを特徴とする
リモートコントロール装置。
【請求項２】
請求項１記載のリモートコントロール装置において、
前記記憶部は前記キーコードに対応する放送局名又はチャンネル番号を記憶してあり、
前記ダイレクトキー及び前記サイクリックキーの操作により、発生された前記キーコードに対応する放送局名又はチャンネル番号を表示する表示部を備えることを特徴とする
リモートコントロール装置。
【請求項３】
請求項１記載のリモートコントロール装置において、
前記記憶部が記憶するキーコードには、選局用のキーコード以外に、所定の機器操作用のキーコードを順序のデータとともに記憶できるようにし、
前記サイクリックキーの操作で、前記所定の機器操作用のキーコードが発生される順序の場合に、当該所定の機器操作用のキーコードを発生させて、前記送信部から送信させるようにしたことを特徴とする
リモートコントロール装置。
【請求項４】
それぞれのキーに予め設定してある選局用のキーコードを、それぞれのキー操作で直接発生させるダイレクトキー操作と、選局を順番に変更させるサイクリックキー操作とが可能なリモートコントロール方法において、
前記ダイレクトキー操作用に用意されたキーコードの中から選択されたキーコードを、その順序のデータとともに記憶し、
前記サイクリックキー操作がある場合に、前記記憶されたキーコードを、前記記憶された順序で順番に発生させることを特徴とする
リモートコントロール方法。
【発明の詳細な説明】
【技術分野】
【０００１】
本発明は、例えば制御信号をテレビジョン受像機の受光部への赤外線伝送に適用して好適なリモートコントロール装置及び方法に関する。
【背景技術】
【０００２】
従来、テレビジョン受像機等の映像機器や、オーディオ機器を遠隔制御するために、制御信号を赤外線伝送で無線伝送するリモートコントロール装置が用いられている。リモートコントロール装置を用いてテレビジョン受像機等の選局操作をする場合、ユーザはリモートコントロール装置に設置された数字キーを選択し、押下する。この操作によって、数字キー毎に割り振られているキーコードが、リモートコントロール装置からテレビジョン受像機に対して赤外線送信される。テレビジョン受像機では、予めキーコードと対応する放送局チャンネルが設定されており、リモートコントロール装置から受信した赤外線信号（キーコード）を元に放送局チャンネルが切り替わり、選局操作が完了する。また、地上波アナログ放送を視聴中に、ＢＳデジタル放送の番組に切り替える選局操作をする場合、ユーザは始めにリモートコントロール装置に設置されたＢＳデジタルキーを押下する。ＢＳデジタルキーのキーコードはテレビジョン受像機に対して赤外線送信され、テレビジョン受像機がＢＳデジタルモードに変更される。その後、ユーザが数字キーを押下すると、それぞれの数字キーに対応したＢＳデジタル放送の放送局チャンネルに切り替わり、選局操作が完了する。このような数字キーを押下することで選局を行なう操作をダイレクト操作と称する。
【０００３】
また、このようなダイレクト操作とは別に、リモートコントロール装置に設置したチャンネルアップキー又はチャンネルダウンキーを押下することで、昇順、又は降順に連続して放送局チャンネルを切り替えることができる。例えばユーザがチャンネルアップキーを押下すると、チャンネルアップを指示するキーコードの赤外線信号が送信される。テレビジョン受像機では、チャンネルアップを指示するキーコードを受信すると、現在選局している選局ポジションの次の選局ポジションの放送局の受信に変化する。また、ユーザがチャンネルダウンキーを押下すると、チャンネルダウンを指示するキーコードの赤外線信号が送信される。テレビジョン受像機では、チャンネルダウンを指示するキーコードを受信すると、現在選局している選局ポジションの１つ前の選局ポジションの放送局の受信に変化する。このようなチャンネルアップキー又はチャンネルダウンキーを押下することで選局を行なう操作は、順番に循環して選局することができるため、サイクリック操作と称する。また、以下の説明では、チャンネルアップキーやチャンネルダウンキーを、サイクリックキーと称する。
【０００４】
これまで、サイクリック操作時において、ユーザにとって興味を引かないような放送局チャンネルに関しては、テレビジョン受像機側で事前に選局対象外とする設定をすることが可能であった。こうすることで、サイクリック操作時に、選局対象外とした放送局チャンネルを除外して選局することが可能であった。
【０００５】
特許文献１には、サイクリックキーを備えたリモートコントロール装置について記載してある。
【特許文献１】特開平２−２９６４９４号公報（第１図）
【発明の開示】
【発明が解決しようとする課題】
【０００６】
ところで、ユーザがダイレクト操作による選局操作を行なう際、従来のリモートコントロール装置では、数字キーの数が限られているため、衛星デジタル放送や地上波デジタル放送等の多チャンネル放送の受信時にはチャンネル番号を読み替え（例えば、ＢＳデジタル放送局の“１０３”チャンネルを“３”チャンネルに読み替える）なければならなかった。このため、ユーザは数字キーに対応する放送局チャンネルを記憶しておく必要があるが、選局操作に不便をきたしていた。
【０００７】
一方、サイクリック操作による選局を行なう際は、目的のチャンネルに辿り着くために何度も選局キーを押下しなければならないため、視聴したい放送局の番組について視聴機会を逃してしまうという問題があった。また、多チャンネル放送を受信可能なテレビジョン受像機で番組を視聴するような場合、ユーザの好みにより全く興味を引かない放送局というものが生じてしまう。しかしながら、一台のテレビジョン受像機を複数の人間で共有して使用するような環境下においては、あるユーザにとっては興味を引かない放送チャンネルであっても、別のユーザにとっては興味が引かれる放送チャンネルである場合もあり、単純に一人のユーザの興味の有無でサイクリック操作の選局対象から除外しにくいという問題があった。これは、選局対象外とする放送局チャンネルの設定が、テレビジョン受像機側でしか行なえなかったことによる。
【０００８】
本発明はこのような状況に鑑みて成されたものであり、簡単な操作で希望する放送局チャンネルを選局できるようにすることを目的とする。
【課題を解決するための手段】
【０００９】
本発明は、それぞれのキーに予め設定してある選局用のキーコードを、それぞれのキー操作で直接発生させるダイレクトキー操作と、選局を順番に変更させるサイクリックキー操作とが可能な場合において、ダイレクトキー操作用に用意されたキーコードの中から選択されたキーコードを、その順序のデータとともに記憶し、サイクリックキー操作がある場合に、記憶されたキーコードを、記憶された順序で発生させるようにしたものである。
【００１０】
このようにしたことで、任意の放送局チャンネルを所定の順番でテーブルに記憶させ、テーブルの昇順又は降順に選局することが可能となった。
【発明の効果】
【００１１】
本発明によれば、テーブルに設定した任意の放送局チャンネルを所定の順番で選局することができるため、視聴者の好みに応じた放送局チャンネルを常に一定の順番で選局することができる。
【発明を実施するための最良の形態】
【００１２】
以下、本発明の一実施の形態を、添付図面を参照して説明する。本実施の形態では、ユーザのキー操作により、所定の制御信号をテレビジョン受像機に赤外線伝送することで、テレビジョン受像機の遠隔制御を行なうことができるリモートコントロール装置に適用した例としてある。
【００１３】
まず、本例のリモートコントロール装置１の外部構成例について図１を参照して説明する。図示しないテレビジョン受像機を遠隔操作可能なリモートコントロール装置１は、合成樹脂等により四角形状の筐体に成型してあり、発光素子としてＬＥＤ（Light Emitting Diode:発光ダイオード）を用いて赤外線信号を送信するＬＥＤ３ａと、選局チャンネル等を液晶画面にデジタル表示する表示部４と、各種操作キーを含む操作部２を備える。操作部２には、“１”〜“１２”までの番号が印字されたダイレクトキーであるキー１１〜２２があり、キー毎に紐付けられた放送局チャンネルをテレビジョン受像機に対して指定できる。そして、ユーザは、ＢＳデジタル切り替え用のＢＳデジタルキー８を押下した後、キー１１〜２２を押下することで、地上波アナログ放送からＢＳデジタル放送へ切り替えたＢＳ放送局チャンネルを視聴することができる。そして、電源キー７は、テレビジョン受像機のディスプレイ電源をオン、オフすることができる。また、音量キー６には、プラス、マイナスキーが備えてあり、プラスキーで音量の増大、マイナスキーで音量の減少操作を行なうことができる。
【００１４】
また、チャンネルアップキー及びチャンネルダウンキーとしてのサイクリック選局キー５を備える。即ち、サイクリック選局キー５として、プラスキー（チャンネルアップキー）５ａ、マイナスキー（チャンネルダウンキー）５ｂが備えてあり、リモートコントロール装置１の内部メモリに保存されたサイクリックテーブルに基づいて、プラスキーでチャンネル番号を増加させ、マイナスキーでチャンネル番号を減少させる操作により、サイクリックテーブル内に格納された放送局チャンネルを循環的に選局できる。ここで、サイクリックテーブルとは、テレビジョン放送局毎に紐付けされたチャンネル番号を保存したテーブルのことであり、ユーザが任意に設定可能であるため、放送局チャンネルが昇順又は降順に配置される必要はない。また、サイクリック選局キー５には、ジョグダイヤルを用いるようにしてもよい。そして、ユーザが操作部２で選択した各キーからの情報は、表示部４に表示される。これにより、ユーザはどのような操作を行ったか（どのキーを指定したか等）をチャンネル番号、放送局名のテキストの表示等を行なって確認できる。
【００１５】
次に、本例のリモートコントロール装置１の内部構成例について図２を参照して説明する。ユーザにより、操作部２内の各キーから入力されたキーコードは、リモートコントロール装置１の内部制御を行なうマイクロコンピュータ３１に供給される。メモリ３２には、例えば、書換え可能なＲＡＭ（Random Access Memory）を用いて、後述するサイクリックテーブル等が記憶される。また、メモリ３２には、例えば、読出しのみ可能なＲＯＭ（Read Only Memory）を用いて、処理プログラム、パラメータ等が記憶される。マイクロコンピュータ３１は、メモリ３２より処理プログラム等を読出し、一定のクロックを供給する発振器３３の周波数に基づいて実行することで、送信部３にキーコードを供給する。送信部３では、供給されるキーコードを送信用に変調処理して、その変調された送信信号をＬＥＤ３ａに供給する。このようにして、ＬＥＤ３ａから、図示しないテレビジョン受像機の受光部に対してキーコードが赤外線送信される。また、マイクロコンピュータ３１は、表示部４に対する表示制御も行い、ユーザ操作に対するチャンネル番号又は放送局名の切り替え表示等を制御する。
【００１６】
次に、本例のサイクリックテーブルの構成例について図３を参照して説明する。ここでサイクリックテーブルとは、ユーザがサイクリック選局キー５を用いて、放送局チャンネルを選択する際に参照されるテーブルであり、サイクリック操作時には、サイクリックテーブルに保存された放送局チャンネルが循環して選局される。本例のサイクリックテーブル３２ａには、地上ＡＡ局−地上ＢＢ局−地上ＣＣ局−ＢＳＤＤ局−ＢＳＥＥ局の順番で放送局チャンネルに対応するキーコードが登録されているとする。なお、サイクリック操作登録局として示してある「地上ＸＸ局」とは、地上波アナログの放送局を表し、「ＢＳＸＸ局」とは、ＢＳデジタルの放送局を表す。また、「ｎ」とした数値は、放送局チャンネルを表し、操作部２内のキー１１〜２２に対応している。本例のリモートコントロール装置１において、ダイレクト操作で選局するそれぞれの放送局に対応する各キー及びチャンネル番号は、
地上ＡＡ局−キー１１（チャンネル「１」），
地上ＢＢ局−キー１６（チャンネル「６」），
地上ＣＣ局−キー１４（チャンネル「４」），
ＢＳＤＤ局−キー１８（チャンネル「８」），
ＢＳＥＥ局−キー１９（チャンネル「９」）
と設定してある。このようにキー毎に登録局を設定してあることにより、例えば、ユーザが地上ＣＣ局の番組を視聴する場合、ダイレクト操作としてキー１４を押下することで、地上ＣＣ局で放送されている番組を視聴することが可能となる。
【００１７】
次に、本例のチャンネルの設定例について図４のフローチャートを参照して説明する。本例のリモートコントロール装置１、及びテレビジョン受像機では、初期設定としてキーコードと放送局チャンネルの紐付けを行う必要がある。まず、テレビジョン受像機側の設定として、ダイレクトキー（キー１０〜２２）の操作で送信されるキーコードと、そのキーコードで指定されるチャンネルポジションに設定される放送局チャンネルを紐付け設定する（ステップＳ１）。この紐付け設定は、上述した図３のサイクリックテーブル３２ａの構成例に示したように、地上ＡＡ局−キー１１（チャンネル「１」），…，ＢＳＥＥ局−キー１９（チャンネル「９」）と設定される。次に、リモートコントロール装置１側の設定として、ダイレクトキーをサイクリックテーブル３２ａに登録する（ステップＳ２）。このとき、ユーザはサイクリック操作する度にリモートコントロール装置１から発信するダイレクトキーのコードを、呼び出したい順（例えば、図３のサイクリックテーブルに設定した順）に登録することとなる。このため、サイクリックテーブル３２ａに設定した放送局チャンネルの順番はユーザ側で任意に設定可能であり、放送局チャンネルの昇順、降順に限定されない。
【００１８】
次に、本例のサイクリック操作におけるサイクリックテーブル３２ａを用いた選局例について図５を参照して説明する。リモートコントロール装置１のメモリ３２には、「カレントチャンネル情報」と称される、現在選局している放送局チャンネルについての情報が記憶されている。ユーザがサイクリック操作を行なう際、操作部２から入力されたキーコードに従い、マイクロコンピュータ３１は、メモリ３２より予めユーザが登録したサイクリックテーブル３２ａを読出す。そして、マイクロコンピュータ３１は、サイクリックテーブル３２ａを用いて、現在選局した放送局チャンネルに対応するプラス、又はマイナス方向の放送局チャンネルを選択し、送信部３に供給した後、ＬＥＤ３ａよりキーコード、及び地上アナログ又はＢＳデジタルの切替えコードを赤外線送信する。
【００１９】
今、図５に示したサイクリックテーブル３２ａの１行目は、カレントチャンネル情報として、地上ＡＡ局，…，ＢＳＥＥ局が示されている。２行目は、ユーザがサイクリック操作でサイクリック選局キー５を、プラス方向に操作した場合、３行目は、マイナス方向に操作した場合において、リモートコントロール装置１からテレビジョン受像機に送信されるキーコード、地上アナログ、ＢＳデジタルのキーコードを表す。
【００２０】
例えば、現在メモリ３２に記憶してあるカレントチャンネル情報（現在ユーザが視聴している放送局）を、地上ＡＡ局とする。この状態からユーザが、サイクリック操作のプラス方向に選局を行なうとダイレクト操作のキー１６（チャンネル「６」：地上ＢＢ放送）に対応するキーコードをリモートコントロール装置１からテレビジョン受像機に送信し、地上ＢＢ局に切り替える。さらに、サイクリック操作のプラス方向に選局を行なうと、ダイレクト操作のキー１４（チャンネル「４」：地上ＣＣ放送）に対応するキーコードをテレビジョン受像機に送信し、地上ＣＣ局に切り替える。更に、サイクリック操作のプラス方向に選局を行なうと、まずＢＳデジタルキー８のキーコードを送信してから、ダイレクト操作によるキー１８のキーコードをテレビジョン受像機に送信し、ＢＳＣＣ局に切り替えることになる。
【００２１】
ここで、本例のサイクリック操作例について図６と図７のシーケンス図を参照して説明する。図６は、「地上アナログ」から「ＢＳデジタル」への切り替え操作を伴う場合を表し、図７は、「ＢＳデジタル」内でのチャンネル切り替え操作を行なう場合を表す。なお、図６と図７のサイクリック操作は一連の操作とする。今、テレビジョン受像機は、地上アナログ放送を行う地上ＣＣ局を選局している。また、サイクリック操作時には、図３のサイクリックテーブル３２ａを参照して選局が行なわれる。この時、地上ＣＣ局を選局しているため、ダイレクトキーは、キー１４（チャンネル「４」）であり、「地上アナログ」を受信中であることが、カレントチャンネル情報としてメモリ３２に登録されている。
【００２２】
まず、図６のシーケンス図を参照してサイクリック操作例の説明を行なう。今、ユーザが、サイクリック選局キー５のプラスキーを押下する。プラスキーの入力コードは、マイクロコンピュータ３１に供給され（ステップＳ１１）、マイクロコンピュータ３１は、現在のカレントチャンネル情報をメモリ３２に問い合わせる（ステップＳ１２）。そして、マイクロコンピュータ３１は、現在のカレントチャンネル情報をメモリ３２から読み出す（ステップＳ１３）。本例では、「地上アナログ」、チャンネル「４」の情報が読み出されることになる。
【００２３】
次に、マイクロコンピュータ３１は、読み出した現在のカレントチャンネル情報に対してサイクリックテーブル３２ａのサイクリック操作のプラス方向に記憶されている放送局チャンネル、及びダイレクトキーをメモリ３２に問い合わせ（ステップＳ１４）、読み出す（ステップＳ１５）。本例では、「ＢＳデジタル」、チャンネル「８」の情報が読み出されることになる。
【００２４】
次に、マイクロコンピュータ３１は、現在のカレントチャンネル情報と、サイクリック操作のプラス方向のチャンネル情報を比較し、「ＢＳデジタル」、チャンネル「８」のキーコードをテレビジョン受像機に送信することを判断する（ステップＳ１６）。まず、マイクロコンピュータ３１は、ＢＳデジタルキー８のキーコードを送信部３に供給する（ステップＳ１７）。その後、送信部３のＬＥＤ３ａよりテレビジョン受像機に対して、ＢＳデジタルキー８のキーコードを赤外線送信する（ステップＳ１８）。そして、メモリ３２のカレントチャンネル情報を「ＢＳデジタル」に書き換える（ステップＳ１９）。
【００２５】
カレントチャンネル情報の書換え後、マイクロコンピュータ３１は、キーコードの送信によりテレビジョン受像機が受信、切り替え処理を行うまでの時間を考慮するため、一定時間待機する（ステップＳ２０）。ここで待機する時間は、テレビジョン受像機の処理速度に依存して増減する。一定時間後、マイクロコンピュータ３１は、キー１８（チャンネル「８」）のキーコードを送信部３に供給する（ステップＳ２１）。その後、送信部３のＬＥＤ３ａよりテレビジョン受像機に対してキー１８（チャンネル「８」）のキーコードを赤外線送信する（ステップＳ２２）。そして、メモリ３２のカレントチャンネル情報をチャンネル「８」に書き換える（ステップＳ２３）。
【００２６】
次に、図７のシーケンス図を参照してサイクリック操作例の説明を行なう。今、ユーザが、サイクリック選局キー５のプラスキーを押下する。プラスキーの入力コードは、マイクロコンピュータ３１に供給され（ステップＳ３１）、マイクロコンピュータ３１は、現在のカレントチャンネル情報をメモリ３２に問い合わせる（ステップＳ３２）。そして、マイクロコンピュータ３１は、現在のカレントチャンネル情報をメモリ３２から読み出す（ステップＳ３３）。本例では、「ＢＳデジタル」、チャンネル「８」の情報が読み出されることになる。
【００２７】
次に、マイクロコンピュータ３１は、読み出した現在のカレントチャンネル情報に対してサイクリックテーブル３２ａのサイクリック操作のプラス方向に記憶されている放送局チャンネル、及びダイレクトキーをメモリ３２に問い合わせ（ステップＳ３４）、読み出す（ステップＳ３５）。本例では、「ＢＳデジタル」、チャンネル「９」の情報が読み出されることになる。
【００２８】
次に、マイクロコンピュータ３１は、現在のカレントチャンネル情報と、読み出したサイクリック操作のプラス方向のチャンネル情報を比較し、キー１９（チャンネル「９」）のキーコードのみをテレビジョン受像機に送信することを判断する（ステップＳ３６）。つまり、リモートコントロール装置１は、既にテレビジョン受像機では「ＢＳデジタル」に設定されていると判断し、「ＢＳデジタル」のキーコードをテレビジョン受像機に再送信しない。そして、マイクロコンピュータ３１は、キー１９（チャンネル「９」）のキーコードを送信部３に供給する（ステップＳ３７）。その後、送信部３のＬＥＤ３ａよりテレビジョン受像機に対して、キー１９（チャンネル「９」）のキーコードを赤外線送信する（ステップＳ３８）。そして、メモリ３２のカレントチャンネル情報をチャンネル「９」に書き換える（ステップＳ３９）。
【００２９】
図６及び図７の説明では、サイクリック操作のうちプラス方向の操作についてのみ説明したが、マイナス方向の操作に際しても同様の処理が行われる。また、プラス方向及びマイナス方向の操作が混在したとしても同様の処理が行われる。また、サイクリック操作の途中でダイレクト操作が行なわれた場合、その都度メモリ３２のカレントチャンネル状態をダイレクト操作で切り替えられた放送局チャンネルに書き換えるようにしておく。
【００３０】
このようにすることで、リモートコントロール装置１のサイクリック操作時において、メモリ３２に保存したサイクリックテーブル３２ａを参照して選局を行なうことが可能となった。
【００３１】
以上説明した本実施の形態によると、サイクリックテーブルをリモートコントロール装置１内のメモリ３２に保存しておくため、ユーザは、サイクリック操作時に放送帯域(地上波アナログあるいはＢＳデジタル等）を気にすることなく円滑な選局が可能になるという効果がある。
【００３２】
また、本実施の形態によるリモートコントロール装置を複数台用意して、ユーザ毎に使用するようにしてもよい。この場合、共用のテレビジョン受像機であっても選局順や視聴チャンネルの自由なカスタマイズがユーザ毎に可能であるため、好みに適した放送チャンネルを登録できるという効果がある。このとき、視聴しないチャンネルをサイクリックテーブルから除外しているため、素早い選局が可能になるという効果がある。
【００３３】
また、本実施の形態で実現される機能を付加したリモートコントロール装置を導入することにより、既存のテレビジョン受像機にも対応することができる。これは、リモートコントロール装置１のキー毎に設定されたキーコードをサイクリックテーブルで読み出すようにしたためであり、本実施の形態によるリモートコントロール装置に交換するだけで対応できるという効果がある。
【００３４】
なお、上述した実施の形態ではカレントチャンネル情報を確認するために表示部４を設けたが、表示部４を設けなくても機能は実現される。また、フル機能のリモートコントロール装置ではなく、簡易機能のリモートコントロール装置として用いるようにしてもよい。例えば、必要最小限な構成として電源キー、サイクリック選局キー、音量キーのみを設けるようにすることで、高齢者にとっても使い勝手のよいリモートコントロール装置を提供することができる。
【００３５】
また、上述した実施の形態では、リモートコントロール装置１からテレビジョン受像機に対して片方向通信を行なうようにしたが、テレビジョン受像機からの信号をリモートコントロール装置が受信するような受光部を設けて双方向通信を行なうようにしてもよい。例えば、テレビジョン受像機の選局キーを直接指定、あるいは別のリモートコントロール装置による選局操作が行なわれた場合、リモートコントロール装置で記録してあるカレントチャンネル情報との間で齟齬が生じてしまう。しかしながらテレビジョン受像機から所定のタイミングで、テレビジョン受像機側で記憶してあるカレントチャンネル情報をリモートコントロール装置に送信することで、リモートコントロール装置側のカレントチャンネル情報を書換えることができ、テレビジョン受像機とリモートコントロール装置のカレントチャンネル情報の同期をとることができる。
【００３６】
また、リモートコントロール装置１に内蔵したタイマで最後の操作からの経過時間を計測することで、一定時間以上経過した場合や、電源キー７が押された直後は、リモートコントロール装置１のカレントチャンネルの状態が不定状態となる可能性がある。このような場合、リモートコントロール装置１とテレビジョン受像機とのカレントチャンネル情報に齟齬が生じる可能性があるため、不定状態からのサイクリック操作は、必ず「地上波アナログ」又は「ＢＳデジタル」のキーコードを付加するようにしてもよい。また、必ずサイクリックテーブルの一定位置に戻るようにしてもよい。このようにすることで円滑な選局操作を行なうことができる。
【００３７】
また、サイクリックテーブルをパーソナルコンピュータ装置で設定した後、作成したサイクリックテーブルをリモートコントロール装置にダウンロードするようにしてもよい。また、企業ホームページ内に予めサイクリックテーブルを作成し、ユーザは随時必要なサイクリックテーブルをダウンロードするようにしてもよい。このようにすることで、メモリのエラー等によりサイクリックテーブルが破壊されたとしても、再度ダウンロードするだけで元の状態に復帰することができる。また、サイクリックテーブルの設定を簡単に行えると共に、バックアップデータとして保存しておくことができるという効果がある。
【００３８】
また、上述した実施の形態では、１種類のテレビジョン受像機に対応するリモートコントロール装置１を例に挙げて説明したが、いわゆるマルチリモートコントロール装置、学習リモートコントロール装置に適用してもよい。この場合、テレビジョン受像機の選局操作に限らず、例えば、テレビジョン受像機の特定の入力端子に接続された機器（ビデオテープデッキ、ＤＶＤレコーダ等）の電子機器の操作に適用することも可能である。具体的には、サイクリックテーブルの特定位置に、例えばＤＶＤレコーダが接続された入力端子への切り替えを行うキーコードを記憶させておいて、該当する入力切替え操作がサイクリックキーの操作でできるようにする。
【００３９】
この場合にテレビジョン受像機の入力切替に加えて、例えば、ＤＶＤレコーダの電源オン、オフ等のキーコードについても記憶させて、同時に送信されるように設定してもよい。電源オン、オフ等のキーコードについては、例えばサイクリックキーの操作で、ＤＶＤレコーダが接続された入力端子に切替わるキーコードを送信させる際に、ＤＶＤレコーダを電源オンさせるキーコードを送信し、次のサイクリックキーの操作で、その入力端子から何れかのチャンネルの選局に切替わるキーコードを送信させる際に、ＤＶＤレコーダを電源オフさせるキーコードを送信するようにする。このようにすると、サイクリック選局キーをプラス方向に押し続けることで、チャンネルの選局だけでなく、テレビジョン受像機に接続された別の機器の選択についても行え、利便性が向上する。
【００４０】
また、上述した実施の形態では、テレビジョン受像機の選局を行うリモートコントロール装置に適用した例としたが、例えばラジオ放送受信用のチューナの選局を、同様のリモートコントロール装置で行うようにしても良い。
【００４１】
また、自動車に搭載した車載用オーディオ再生装置を遠隔制御するために、上述した実施の形態のリモートコントロール装置を用いるようにしてもよい。
【００４２】
また、多機能化した携帯端末の一機能として、上述した実施の形態のリモートコントロール機能を付加するようにしてもよい。携帯端末として、例えば、携帯電話端末、ＰＤＡ（Personal Digital(Data) Assistants）といった様々な情報端末装置が実用化されているが、例えば、自宅から車に乗り込み、車載用オーディオ機器を操作するような場合において、このリモートコントロール機能を付加した携帯端末を用いることで、普段と同じように操作することができるという効果がある。
【００４３】
また、携帯端末の一機能として、リモートコントロール機能を付加する場合、例えば、自宅モード、車内モードといったように使用環境毎にモードを切り替え、それぞれの使用環境に応じた操作が行なえるようにしてもよい。具体的には、自宅モードのとき、自宅に設置されたテレビジョン受像機の選局用に設定したサイクリックテーブルを使用して制御し、車内モードのとき、車内に設置されたオーディオ機器の選局用に設定したサイクリックテーブルを使用して制御するようにする。この時、リモートコントロール装置に表示部が備えてあれば、どのようなモードを指定しているかを表示させることもできる。モード毎にサイクリックテーブルを設定しておくことで、素早く環境に適したサイクリックテーブルを読み出すことができ、利便性が向上するという効果がある。
【００４４】
また、上述した実施の形態では、赤外線信号を無線送信するリモートコントロール装置に適用したが、その他の信号方式の無線信号を送信するリモートコントロール装置にも適用可能である。
【図面の簡単な説明】
【００４５】
【図１】本発明の一実施の形態におけるリモートコントロール装置の外部構成例を示した構成図である。
【図２】本発明の一実施の形態におけるリモートコントロール装置の内部構成例を示したブロック図である。
【図３】本発明の一実施の形態におけるサイクリックテーブルの構成例を示した説明図である。
【図４】本発明の一実施の形態におけるダイレクト操作とサイクリック操作のチャンネル設定例を示したフローチャートである。
【図５】本発明の一実施の形態におけるサイクリックテーブルの選局例を示した説明図である。
【図６】本発明の一実施の形態におけるサイクリック操作の操作例を示したシーケンス図である。
【図７】本発明の一実施の形態におけるサイクリック操作の操作例を示したシーケンス図である。
【符号の説明】
【００４６】
１…リモートコントロール装置、２…操作部、３…送信部、３ａ…ＬＥＤ、４…表示部、５…サイクリック選局キー、５ａ…プラスキー、５ｂ…マイナスキー、６…音量キー、７…電源キー、１１〜２２…キー、３１…マイクロコンピュータ、３２…メモリ、３２ａ…サイクリックテーブル、３３…発振器
【図１】
2006254242.tif 000003
【図２】
2006254242.tif 000004
【図３】
2006254242.tif 000005
【図４】
2006254242.tif 000006
【図５】
2006254242.tif 000007
【図６】
2006254242.tif 000008
【図７】
2006254242.tif 000009